(57)【要約】【課題】  無給電画像表示手段（第１の表示手段）に候補画像が表示される様子を事前に確認できるとともに、その確認作業を伴う無給電画像表示手段における表示画像の切り換え時における操作性を向上させることができる電子機器を提供する。【解決手段】  本電子機器（携帯電話機）２０は、画像の表示状態を無給電状態でも維持可能な第１の表示手段（無給電画像表示手段）３１と、表示領域の描画処理速度が第１の表示手段よりも速い第２の表示手段２７と、画像指定手段と、画像切換指示手段とを備える。第２の表示手段は、画像指定手段で指定された候補画像が第１の表示手段に表示されている外観プレビュー画像を描画して表示する。第１の表示手段は、第２の表示手段に表示された外観プレビュー画像のいずれかを指定して画像切換指示手段により画像の切り換えが指示されたとき、その指定された外観プレビュー画像に含まれている候補画像を描画して表示する。【選択図】  図１
2006293002.tif 000002
【特許請求の範囲】
【請求項１】
画像の表示状態を無給電状態でも維持可能な第１の表示手段と、表示領域の描画処理速度が第１の表示手段よりも速い第２の表示手段とを備えた電子機器であって、
第１の表示手段に表示する候補の画像を指定する画像指定手段と、第１の表示手段における表示画像の切り換えを指示する画像切換指示手段とを備え、
第２の表示手段は、該画像指定手段で指定された候補画像が第１の表示手段に表示されている当該電子機器の外観の様子を示す外観プレビュー画像を描画して表示し、
第１の表示手段は、第２の表示手段に表示された外観プレビュー画像のいずれかを指定して該画像切換指示手段により画像の切り換えが指示されたとき、該指定された外観プレビュー画像に含まれている候補画像を描画して表示することを特徴とする電子機器。
【請求項２】
請求項１の電子機器において、
上記外観プレビュー画像中の候補画像に対する画像修正の内容を入力する画像修正入力手段を備え、
第２の表示手段は、該画像修正入力手段の入力結果に基づいて該外観プレビュー画像を再描画して表示することを特徴とする電子機器。
【請求項３】
請求項２の電子機器において、
上記画像修正は、上記候補画像に対する表示位置の変更、全画面表示への変更、画像サイズの変更の少なくとも一つの変更を行う画像修正であることを特徴とする電子機器。
【請求項４】
請求項２の電子機器において、
上記画像修正は、上記候補画像に対して別の画像を重ねて表示する画像修正であることを特徴とする電子機器。
【請求項５】
請求項４の電子機器において、
上記別の画像は、利用者が入力した文字情報の画像であることを特徴とする電子機器。
【請求項６】
請求項５の電子機器において、
上記文字情報は、利用者が設定した時刻とその時刻に対する予定との組み合わせからなる文字情報であることを特徴とする電子機器。
【請求項７】
請求項４、５又は６の電子機器において、
上記画像修正入力手段は、上記別の画像の重ね表示位置を調整可能に構成されていることを特徴とする電子機器。
【請求項８】
請求項２の電子機器において、
上記画像修正は、上記第１の表示手段の表示領域のうち上記候補画像が表示される領域以外の空き領域の色を変更する画像修正であることを特徴とする電子機器。
【発明の詳細な説明】
【技術分野】
【０００１】
本発明は、移動体通信端末等の電子機器に関するものである。
【背景技術】
【０００２】
近年、電子ペーパー等の無給電画像表示手段は、画像の表示状態が維持されている間は電力を消費しないので、画像の表示状態が維持されている間も電力を消費する一般的な表示手段に比べて省エネルギー効果が高く、注目を浴びている。そのため、このような省エネルギー効果を有効利用すべく、無給電画像表示手段の様々な活用方法が提案されている。
特許文献１には、通信回線に接続された情報管理サーバから受信した新聞記事情報等の情報をユーザーの知覚できる状態で表した画像が、電子ペーパー（無給電画像表示手段）に表示される電子機器としての情報端末が開示されている。この情報端末によれば、ユーザーが電子ペーパーに表示されている画像を見ている間、電力が消費されることがないため、上記一般的な表示手段に比べて省エネルギー化を図ることができる。
また、特許文献２では、筐体の外表面上に電子ペーパーを設け、その電子ペーパーに表示されるデザイン画像を変更可能とした電子機器が開示されている。この電子機器によれば、ユーザーの好みに応じて筐体デザインを簡単に変更することができるようになる。筐体デザインは、一般に、長い期間ずっと表示状態が維持されることを望まれるが、このような長い期間ずっと電力を消費し続けることとなれば、実用性に欠けるものとなる。上記特許文献２に開示の電子機器は、筐体デザインを表示する手段として電子ペーパーを用いているので、電力を消費せずに筐体デザインを長い期間表示し続けることができ、実用性が高いと言える。
【０００３】
【特許文献１】特開２００２−１６３２５７号公報
【特許文献２】特開２００４−６４６１２号公報
【発明の開示】
【発明が解決しようとする課題】
【０００４】
ところが、上記無給電画像表示手段は、ＴＦＴなどの液晶ディスプレイに比して、表示画像の描画に時間がかかるものが多い。このように表示画像の描画処理に時間がかかると、無給電画像表示手段に表示する表示画像の切り換え時の操作性が悪くなってしまうという問題点があった。例えば、複数の画像の中から利用者が希望する画像を選んで無給電画像表示手段に表示させる場合、各画像を一つずつ実際にテスト表示させながら表示状態を確認したい場合がある。この場合、画像のテスト表示のたびに、時間がかかる描画処理を行う必要があるため、最終的に希望の画像にたどり着くまで時間がかかり、操作性が悪い。
【０００５】
本発明は、以上の背景に鑑みなされたものであり、その目的とするところは、画像の表示状態を無給電状態でも維持可能な無給電画像表示手段（第１の表示手段）に候補画像が表示される様子を事前に確認できるとともに、その確認作業を伴う無給電画像表示手段（第１の表示手段）における表示画像の切り換え時における操作性を向上させることができる電子機器を提供することである。
【課題を解決するための手段】
【０００６】
上記目的を達成するために、請求項１の発明は、画像の表示状態を無給電状態でも維持可能な第１の表示手段と、表示領域の描画処理速度が第１の表示手段よりも速い第２の表示手段とを備えた電子機器であって、第１の表示手段に表示する候補の画像を指定する画像指定手段と、第１の表示手段における表示画像の切り換えを指示する画像切換指示手段とを備え、第２の表示手段は、該画像指定手段で指定された候補画像が第１の表示手段に表示されている当該電子機器の外観の様子を示す外観プレビュー画像を描画して表示し、第１の表示手段は、第２の表示手段に表示された外観プレビュー画像のいずれかを指定して該画像切換指示手段により画像の切り換えが指示されたとき、該指定された外観プレビュー画像に含まれている候補画像を描画して表示することを特徴とするものである。
また、請求項２の発明は、請求項１の電子機器において、上記外観プレビュー画像中の候補画像に対する画像修正の内容を入力する画像修正入力手段を備え、第２の表示手段は、該画像修正入力手段の入力結果に基づいて該外観プレビュー画像を再描画して表示することを特徴とするものである。
また、請求項３の発明は、請求項２の電子機器において、上記画像修正は、上記候補画像に対する表示位置の変更、全画面表示への変更、画像サイズの変更の少なくとも一つの変更を行う画像修正であることを特徴とするものである。
また、請求項４の発明は、請求項２の電子機器において、上記画像修正は、上記候補画像に対して別の画像を重ねて表示する画像修正であることを特徴とするものである。
また、請求項５の発明は、請求項４の電子機器において、上記別の画像は、利用者が入力した文字情報の画像であることを特徴とするものである。
また、請求項６の発明は、請求項５の電子機器において、上記文字情報は、利用者が設定した時刻とその時刻に対する予定との組み合わせからなる文字情報であることを特徴とするものである。
また、請求項７の発明は、請求項４、５又は６の電子機器において、上記画像修正入力手段は、上記別の画像の重ね表示位置を調整可能に構成されていることを特徴とするものである。
また、請求項８の発明は、請求項２の電子機器において、上記画像修正は、上記第１の表示手段の表示領域のうち上記候補画像が表示される領域以外の空き領域の色を変更する画像修正であることを特徴とするものである。
【０００７】
なお、上記表示手段に表示する「画像」は、特定の種類の画像に限定されるものではなく、様々な種類の画像を含む。この「画像」としては、写真の画像、地図の画像、イラストの画像、アイコンの画像、文字情報の画像が挙げられる。また、上記「別の画像」として文字、イラスト、アイコン等の画像を重ねて表示する場合、その「別の画像」中の文字、イラスト、アイコン等の部分以外の背景の部分には、下地になっている画像をそのまま表側に透過させるように表示してもよい。すなわち、文字、イラスト、アイコン等の部分だけを重ねて表示し、その他の背景の部分は無視するように表示してもよい。
また、上記「電子機器」には、移動体通信端末のほか、携帯型情報端末（ＰＤＡ：Personal Digital Assistance）など、情報記憶手段を備えるあらゆる電子機器が含まれる。また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division ynchronous Code Division Multiple Access）方式の一つであるＴＤ−ＳＣＤＭＡ（ＭＣ：Multi Carrier）方式の携帯電話機、ＰＨＳ（Personal Handyphone System）などが挙げられる。
また、上記電子機器における処理及び制御は、これに設けられたコンピュータで所定のプログラムを実行することによって実現することもできる。このコンピュータで用いるプログラムの受け渡しは、デジタル情報としてプログラムを記録したＦＤ、ＣＤ−ＲＯＭ等の記録媒体を用いて行ってもいいし、コンピュータネットワーク等の通信ネットワークを用いて行ってもよい。
【発明の効果】
【０００８】
本発明によれば、画像の表示状態を無給電状態でも維持可能な第１の表示手段に表示する表示画像の切り換えを、次のように行うことができる。すなわち、第１の表示手段に表示する候補画像を画像指定手段で指定すると、第２の表示手段は、その候補画像が第１の表示手段に表示されている様子を示す当該電子機器の外観プレビュー画像を描画して表示する。この第２の表示手段は、表示領域の描画処理速度が第１の表示手段よりも速いため、上記候補画像を第１の表示手段に実際に描画して表示する場合よりも短い時間で、その候補画像を含む外観プレビュー画像を描画して表示し、その候補画像が第１の表示手段に表示されている様子を確認することができる。
そして、上記第２の表示手段に表示された外観プレビュー画像を指定して画像切換指示手段により画像の切り換えを指示すると、第１の表示手段は、その指定された外観プレビュー画像に含まれている候補画像に表示画像を描画して表示する。これにより、第１の表示手段における表示画像を、上記指定された画像に切り換えることができる。
以上のように、第１の表示手段の表示画像の切り換え時に、候補画像を第１の表示手段に実際に描画して表示する場合よりも短い時間で、その候補画像を含む外観プレビュー画像を第２の表示手段に描画して表示することができる。従って、候補画像が第１の表示手段に表示される様子を事前に確認できるとともに、その確認作業を伴う第１の表示手段の表示画像の切り換え時における操作性を向上させることができるという効果がある。
【発明を実施するための最良の形態】
【０００９】
以下、本発明の実施形態について図面を参照しながら説明する。
図１（ａ）は携帯電話機２０の外観の一例を示す正面図であり、図１（ｂ）はその携帯電話機２０の背面図である。この携帯電話機２０は、ヒンジ部を中心にして互いに揺動可能な蓋部２９と本体部３０とを有するクラムシェル（折り畳み）タイプの携帯電話機である。蓋部２９は、本体部３０に設けられたキー操作部のキー２１〜２５が操作可能な開状態（図１の状態）と、キー操作部のキー２１〜２５を覆った閉状態とをとり得るようになっている。上記開状態にある蓋部２９の外壁部を構成するケーシングには、画像の表示状態が維持されている間も電力を消費する一般的な給電画像表示手段（第２の表示手段）である液晶ディスプレイ（ＬＣＤ）２７、スピーカ２８等が設けられている。液晶ディスプレイ（ＬＣＤ）２７としては、例えばＴＦＴ（Thin Film Transistor）型の液晶ディスプレイ等の高速描画機能を有するものが用いられる。また、上記本体部３０の外壁部を構成するケーシングには、上記キー操作部を構成するキー２１〜２５や、マイク２６等が設けられている。これらのキー２１〜２５等からなるキー操作部、および上記給電画像表示手段（第２の表示手段）としての通常の液晶ディスプレイ（ＬＣＤ）２７は、利用者が操作可能な上記開状態にあるケーシングの利用者に対向する側の外壁部に設けられている。これにより、利用者は、上記液晶ディスプレイ２７の画面を見ながらキー操作部のキー２１〜２５を操作することができる。
【００１０】
また、上記閉状態のあるときに外部に露出する、上記蓋部２９側の上部ケーシングの外部露出部分、すなわち上部ケーシングの相対する２つの表面部のうちＬＣＤ２７側の外壁部（正面部）とは反対側の外壁部（背面部）には、図１（ｂ）に示すように、無給電画像表示手段（第１の表示手段）として機能する表示パネル３１が設けられている。この表示パネル３１は、上記閉状態にあるときには利用者が視認しやすい位置し、上記開状態にあって利用者がキー操作部を操作するときには利用者が視認しにくい位置に位置する。
上記表示パネル３１は、表示画像を切り換えるための描画用駆動信号を受けることで表示画像が変化し、且つ、その画像の表示状態を無給電状態でも維持可能なものである。
【００１１】
図２（ａ）は本実施形態の携帯電話機２０における表示パネル３１の一構成例を示す断面図である。この表示パネル３１はコレステリック液晶を用いて形成され、蓋部２９のケーシング２９０上に設けられている。この表示パネル３１は、透明下基材層３１１、コレステリック液晶層３１２、透明上基材層３１３の３層構造となっている。透明下基材層３１１及び透明上基材層３１３としては例えばガラス薄板を用いることができる。透明下基材層３１１の上部すなわち携帯電話機２０の外部側には、下格子電極としての行電極３１４が設けられており、透明上基材層３１３の下部すなわち携帯電話機２０の内部側には、上格子電極としての列電極３１５が設けられている。列電極３１４は、携帯電話機２０の横方向（図１中横方向）に平行に延びる所定ピッチの多数のライン状電極で構成されており、これらのライン状電極の端部は、後述の描画処理部２００の出力端子に接続されている。また、列電極３１５は、携帯電話機２０の縦方向（図１中縦方向）に平行に延びる所定ピッチの多数のライン状電極で構成されており、これらのライン状電極の端部も同様に描画処理部２００の出力端子に接続されている。これらの行電極３１４及び列電極３１５は、表示パネル３１の表示領域３１の全域にわたって、その電極が延びる方向が互いに直交するように配置されている。そして、後述の描画処理部２００から適切なＯＮ／ＯＦＦタイミングで描画用駆動信号（電気信号）を行電極３１４及び列電極３１５に入力することにより、表示領域３１の任意の地点における行電極３１４と列電極３１５との間の電位差を制御できる。
【００１２】
上記コレステリック液晶３１２は、図２（ｂ）に示すように、入射した光のうち、分子配列のらせん周期Ｌに応じて決まる波長の光を選択的に反射させることで、フルカラー表現を可能にしている。分子配列のらせん周期Ｌは、一般に温度が上昇すると小さくなるので、温度コントロールにより所望の色を表現することができる。また、コレステリック液晶３１２は、急冷することにより分子配列のらせん周期Ｌを固定化することが可能である。したがって、らせん周期Ｌを固定化した後は、色を固定できる。このような特性から、コレステリック液晶３１２を用いた表示パネル３１は、表示画像を切り換える描画処理を行う際には温度コントロール用の描画用駆動信号を供給するため電力を消費するが、一旦画像が表示された後は無電力で画像を表示し続けることができる。
【００１３】
なお、上記画像の表示状態を無給電状態でも維持可能な表示パネルとしては、コレステリック液晶に限らず、例えば強誘電性液晶を用いたものであってもよい。
【００１４】
図３は他の構成例に係る表示パネル３１の断面図である。この表示パネル３１は蓋部２９のケーシング２９０上に設けられ、透明下基材層３１６、画像記録層３１７、透明上基材層３１８、保護層３１９の４層構造となっている。透明下基材層３１６の上部すなわち携帯電話機２０の外部側には、下格子電極としての行電極３１４が設けられており、透明上基材層３１８の下部すなわち携帯電話機２０の内部側には、上格子電極としての列電極３１５が設けられている。行電極３１４は、携帯電話機２０の横方向（図１中横方向）に平行に延びる所定ピッチの多数のライン状電極で構成されており、これらのライン状電極の端部は、描画処理部２００の出力端子に接続されている。また、列電極３１５は、携帯電話機２０の縦方向（図１中縦方向）に平行に延びる所定ピッチの多数の電線で構成されており、これらのライン状電極の端部も同様に描画処理部２００の出力端子に接続されている。これらの行電極３１４及び列電極３１５は、表示パネル３１の表示領域３１の全域にわたって、その電極が延びる方向が互いに直交するように配置されている。そして、描画処理部２００から適切なＯＮ／ＯＦＦタイミングの描画用駆動信号（電気信号）を入力することにより、表示領域３１の任意の地点における行電極３１４と列電極３１５との間の電位差を制御できる。
【００１５】
上記画像記録層３５としては、行電極３８と列電極３９との間に印加される電位差によってその地点の可視状態を制御することが可能であって、描画処理部２００から電気信号の入力がなくなっても、その可視状態が維持されるものを利用することができる。例えば、透明なマイクロカプセル内に多数の白色粒子及び黒色粒子を封入し、これを行電極３１４と列電極３１５の電線とが互いに交差する全ての地点（画素点）に配置したものを、上記画像記録層３１７として用いることができる。この場合、各マイクロカプセル内の白色粒子と黒色粒子は互いに逆極性に帯電している。例えば、白色粒子として負極性帯電物質を用い、黒色粒子として正極性帯電物質を用いる。描画処理部２００から電気信号を入力して、ある画素点における行電極３１４の電位を負極性とし、列電極３１５の電位を正極性とした場合、その画素点のマイクロカプセル内では黒色粒子が列電極３１５側へ電気泳動し、白色粒子が行電極３１４側へ電気泳動する。その結果、この画素点を携帯電話機２０の外部から見たとき、その画素点は黒色に見える。逆に、行電極３１４の電位を正極性とし列電極３１５の電位を負極性とした場合の画素点は、白色に見える。このような描画制御を表示領域３１の全域にわたって行うことで、その表示領域３１に所望のモノクロ画像を表示させることができる。しかも、各マイクロカプセル内の黒色粒子と白色粒子の配置は、描画処理部２００からの電気信号の入力がなくなっても維持される。したがって、本表示パネル３１は、一旦表示した画像を無給電状態であってもそのまま維持することができる。また、描画処理部２００から入力される電気信号に応じて、多階調のモノクロ画像を表示させることもできる。
【００１６】
なお、ここでは、モノクロ画像について説明したが、カラー画像を表示させることも可能である。カラー画像を表示させる具体例としては、上記透明上基材層３１８と上記保護層３１９との間にカラーフィルタ層を設けたものが挙げられる。このカラーフィルタ層としてＲ（赤）、Ｇ（緑）、Ｂ（青）の３色のフィルターを用いた場合、行電極３１４と列電極３１５とが互いに交差する地点のうち、互いに隣接する３つの地点を１つの画素として取り扱う。そして、この３つの地点にそれぞれＲ、Ｇ、Ｂのフィルタ部分が対向するように、カラーフィルタ層を設ける。これにより、例えばある画素を赤色とする場合には、Ｒフィルタ部分に対向するマイクロカプセルについては白色粒子が列電極３１５側へ電気泳動し、Ｇフィルタ部分及びＢフィルタ部分に対向するマイクロカプセルについては黒色粒子が列電極３１５側へ電気泳動するような、描画用駆動信号（電気信号）を入力する。
【００１７】
また、本発明で用いることができる表示パネル３１としては、表示画像を切替可能でかつ無給電状態でも表示画像の表示状態を維持可能なものであれば、利用することができる。例えば、表示画像を切り換えるための描画用駆動信号（電気信号）を受けることで表示画像が変化し且つその画像の表示状態を無給電状態でも維持可能な他の公知の電子ペーパーなどを利用することができる。
【００１８】
図４は、上記コレステリック液晶等を用いた表示パネル３１に所望の画像を表示させるように描画処理する描画処理手段としての描画処理部２００の一構成例を示すブロック図である。この描画処理部２００は、表示パネル３１の表示領域に描画用駆動信号（駆動電圧）を供給して描画処理を行うことができる。描画処理部２００は、駆動制御信号生成部２０１と列電極駆動部２０２と行電極駆動部２０３とを備えている。駆動制御信号生成部２０１は、主制御部２１０から送られてくる画像データ又は表示パネルの画面全体の各画素の描画データに基づいて、列電極駆動部２０２及び行電極駆動部２０３から表示パネル３１に出力する描画用駆動信号を制御するための駆動制御信号を生成する。列電極駆動部２０２は、駆動制御信号生成部２０１から受けた列電極用の駆動制御信号に基づいて、所定の列電極３１５に描画用駆動信号を供給する。また、行電極駆動部２０３は、駆動制御信号生成部２０１から受けた行電極用の駆動制御信号に基づいて、所定の行電極３１４に描画用駆動信号を供給する。
【００１９】
図５は、本実施形態に係る携帯電話機２０の主な構成を示すブロック図である。
この携帯電話機２０は、本実施形態の携帯電話機１０は、制御手段としての主制御部２１０と、記憶手段としての内部メモリ２１１と、携帯電話通信網を介して通信を行う通信手段としての無線通信部２１２及びアンテナ２１３とを備えている。更に、携帯電話機２０は、前述の描画処理部２００と、音信号処理部２１４と、表示制御部２１５と、操作手段としてのキー操作部２１６と、計時手段としての時計部２１７とを備えている。
【００２０】
上記主制御部２１０は、例えばＣＰＵ、キャッシュメモリ、ＲＯＭ、システムバス等で構成され、所定の制御プログラムを実行することにより、内部メモリ２１１、無線通信部２１２、時計部２１６等の各部との間でデータの送受信を行ったり、各部を制御したりする。この主制御部２１０には、音信号処理部２１４を介して音入力手段としてのマイク２６及び音出力手段としてのスピーカ２８が接続され、表示制御部２１５を介して一般的な給電画像表示手段である液晶ディスプレイ２７が接続されている。また、主制御部２１０には、前述の描画処理部２００を介して表示パネル３１が接続されている。更に、主制御部２１０には、キー操作部２１６及び時計部２１７が接続されている。
【００２１】
また、上記主制御部２１０は、他の携帯電話機等との間で電話したりメールを送受信したりするときに、所定の通信処理を実行するように無線通信部２１２や内部メモリ２１１等を制御する。また、主制御部２１０は、携帯電話通信網やインターネット上のサーバとの間でデータ通信を行い、各種コンテンツのデータをダウンロードしたり配信情報を受信したりするときに、所定の通信処理を実行するように無線通信部２１２や内部メモリ２１１等を制御する。
【００２２】
上記内部メモリ２１１は、例えばＲＡＭやＲＯＭなどの半導体メモリで構成され、主制御部２１０で実行する制御プログラムや各種データを記憶するものである。また、この内部メモリ２１１は、情報提供サイトなどからダウンロードした画像、音楽、プログラム等のコンテンツデータを記憶するコンテンツデータ記憶手段としても用いられる。更に、この内部メモリ２１１は、スピーカ１０９から出力する音のデータを記憶する音データ記憶手段としても用いられる。
また、上記内部メモリ２１１は、表示パネル３１や液晶ディスプレイ２７に表示する表示対象の画像データを記憶するための画像データ記憶手段や、表示パネル３１や液晶ディスプレイ２７の画面の全画素に対応する描画データを記憶するための描画データ記憶手段としても用いられる。
なお、これらの記憶手段としては、上記内部メモリ２１１ではなく、携帯電話機本体に着脱可能なメモリーカード、ＩＣカード等の記憶媒体を用いてもよい。
【００２３】
上記無線通信部２１２は、例えば変復調器、シンセサイザ、周波数変換器，高周波増幅器などにより構成され、携帯電話通信網を介して各種装置やサーバと通信したり他の携帯電話機等と通信したりするための処理を行う。
【００２４】
上記表示制御部２１５は、主制御部１２０から送られてきた画像データや描画データに基づいてディスプレイ２７に画像を表示するように制御する。
【００２５】
上記スピーカ２８は、音信号処理部２１４でデジタル信号から変換されたアナログ信号が入力され、通話中の音声を出力したり、メールの着信音、電話の呼び出し音、音楽などを出力したりする。なお、上記スピーカ２８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２６】
上記キー操作部２１６は、図１（ａ）に示すようにデータ入力キー（テンキー、＊キー、＃キー）２１、通話開始キー２２、終話キー２３、スクロールキー２４、多機能キー２５等の複数のキーで構成されている。このキー操作部２１６は、利用者が通話開始、終話、メニュー選択等を指示したり情報を入力したりするときに用いられる。また、キー操作部２１６は、表示パネル３１に表示する画像を利用者が指定するための画像指定手段や、表示パネル３１における表示画像の切り換えを指示する画像切換指示手段として用いられる。更に、キー操作部２１６は、外観プレビュー画像中の表示候補の画像に対する画像修正の内容を入力する画像修正入力手段としても用いられる。
【００２７】
上記時計部２１７は、正確な日時を計数し、更新処理等のための時刻情報を生成する。上記マイク２６は、利用者の音声を電気信号（アナログ信号）に変換する。マイク２６から出力される音声の電気信号（アナログ信号）は、音信号処理部２１４に入力され、デジタル信号に変換される。このマイク２６により、通常の電話やテレビ電話で使用する音声を入力することができる。
【００２８】
〔着せ替えパネル画像設定〕
図６は、表示パネル３１に表示する表示画像の設定（以下「着せ替えパネル画像設定」という。）を行うときの液晶ディスプレイ２７の画面遷移の様子を示す説明図である。この着せ替えパネル画像設定は、携帯電話機２０の電源をオンしたときのみ画像を表示することができる、画像表示の応答性に優れた給電画像表示手段としての液晶ディスプレイ２７上で行われる。このように液晶ディスプレイ２７上で着せ替えパネル画像設定を行うことにより、表示パネル３１に表示する画像の切り換えや表示パネル３１の表示領域の変更を行うときの画面表示切り換え速度が低下することなく、良好な操作性が得られる。
上記液晶ディスプレイ２７の画像表示に使用される描画データは、画像データ記憶手段としての内部メモリ２１１等に設定されたＬＣＤ用一時記憶領域に保存される。このＬＣＤ用一時記憶領域に保存されている描画データに基づいて液晶ディスプレイ２７の表示が制御される。この液晶ディスプレイ２７には、後述のように利用者が指定した画像が表示パネル部分に埋め込まれた携帯電話本体の背面部の外観画像を含む外観プレビュー画面を表示することができる。この携帯電話本体の背面部の外観画像に対する描画データは、携帯電話本体（実機）の背面部の外観画像の画像データと、上記利用者が指定した画像の画像データとが合成されて生成され、上記ＬＣＤ用一時記憶領域に保存される。この描画データの生成には、上記利用者が指定した画像が小さい場合などにおいて、必要に応じて表示パネル用壁紙の画像データも読み出されて使用される。この描画データの生成に使用される画像データは、プレインストールデータの一部として、あるいは利用者がダウンロード等によって取得したユーザ取得データの一部として、画像データ記憶手段としての内部メモリ２１１等に設定された画像データ記憶領域に予め保存されている。
着せ替えパネル画像設定が終了した後、最終的に確定した表示パネル３１用の画像データ、又は上記ＬＣＤ用一時記憶領域から抽出した表示パネル部分の描画データが、主制御部２１０から描画処理部２００の駆動制御信号生成部２０１に送られる。ここで、上記表示パネル部分の描画データを主制御部２１０から駆動制御信号生成部２０１に送る場合は、駆動制御信号生成部２０１において画像データから描画データを生成する必要がない。
【００２９】
図６において、まず、利用者が携帯電話機２０を操作することにより、表示パネル３１に表示させることができる複数の候補画像を一覧できる画像選択画面４０１が、液晶ディスプレイ２７に表示される。この画像選択画面４０１には、表示パネル３１に表示可能な複数の候補画像がサムネイル形式で表示される。図６は、左上のヨットの画像４０１ａが利用者によって選択されている状態を示している。また、画像選択画面４０１には、表示パネル３１に画像を表示しない「表示ＯＦＦ」のアイコン４０１ｂも表示されている。
【００３０】
次に、図６の画像一覧の左上のヨットの画像４０１ａが選択されている状態で、画面下側のソフトキー「メニュー」を利用者が押下すると、設定メニュー画面４０２が表示される。この設定メニュー画面４０２で「登録」を選択すると、主制御部２１０は、上記利用者が指定した画像の画像データを内部メモリ２１１から読み出し、その画像データ又は画像データから生成した表示パネル用の描画データを、描画処理部２００に送る。描画処理部２００は、主制御部２１０から受けた画像データ又は描画データに基づいて、表示パネル３１に供給する描画用駆動信号を選択する駆動制御信号を生成する。そして、描画処理部２００は、上記生成した駆動制御信号に基づいて列電極用駆動部２０２及び行電極用駆動部２０３から表示パネル３１に描画用駆動信号を供給する。これにより、携帯電話機２０の表示パネル３１の全体に表示される画像が、上記利用者が指定したヨットの画像に切り換えられ、着せ替えパネル画像設定が完了した旨を示す設定完了画面２０３が、液晶ディスプレイ２７に表示される。表示パネル３１上のヨットの画像は、携帯電話機２０の電源をオフにした後も表示し続けることができる。
【００３１】
上記画像選択画面４０１で、画面下側のソフトキー「プレビュー」を利用者が押下すると、利用者が指定した画像が表示パネル部分に埋め込まれた外観プレビュー画像としての携帯電話画像４０２ａを含む外観プレビュー画面４０４が表示される。ここで、上記外観プレビュー画面４０４でソフトキー「登録」を利用者が押下すると、前述と同様に、携帯電話機２０の表示パネル３１の表示領域に表示される画像が、上記利用者が指定したヨットの画像に切り換えられ、着せ替えパネル画像設定が完了した旨を示す設定完了画面４０３が、液晶ディスプレイ２７に表示される。
【００３２】
上記外観プレビュー画面４０４でソフトキー「メニュー」を利用者が押下すると、画像修正用の設定メニュー画面４０５が、液晶ディスプレイ２７に表示される。この設定メニュー画面４０５上で、「１：画像表示位置変更」、「２：全画面表示」、「３：拡大／縮小表示」、「４：画像装飾」、「５：空き領域色設定」等の画像修正を指定することができる。
【００３３】
〔画像表示位置変更〕
図７は、上記画像修正用の設定メニュー画面４０５で「１：画像表示位置変更」を利用者が選択した場合の画面遷移を示す説明図である。この「１：画像表示位置変更」を利用者が選択すると、表示位置調整用の画像修正画面４１１が表示され、上記選択された候補画像について、表示パネル３１の表示領域における表示位置を調整することができる。この表示位置の調整は、画像修正画面４１１を確認しながら、例えば上記キー操作部２１６のスクロールキー２４を利用者が操作することで行うことができる。図７の例では、利用者がスクロールキー２４の上矢印キーを押下することにより、表示パネル３１の上方に候補画像を移動した例を示している。利用者が、画像修正画面４１１上で希望の位置に候補画像を移動した後、ソフトキー「ＯＫ」を利用者が押下すると、最終確認用の外観プレビュー画面４１２が表示される。この外観プレビュー画面４１２上で、ソフトキー「登録」を利用者が押下すると、前述と同様に携帯電話機２０の表示パネル３１の表示領域に表示される画像が、上記利用者が指定して修正した画像に切り換えられ、着せ替えパネル画像設定が完了した旨を示す設定完了画面４１３が、液晶ディスプレイ２７に表示される。
【００３４】
〔全画面表示〕
図８は、上記画像修正用の設定メニュー画面４０５で「２：全画面表示」を利用者が選択した場合の画面遷移を示す説明図である。この「２：全画面表示」を利用者が選択すると、上記選択された候補画像を表示パネル３１の表示領域の全体に表示した全画面表示の画像修正画面４２１が表示される。利用者が、この画像修正画面４２１を確認し、ソフトキー「ＯＫ」を押下すると、最終確認用の外観プレビュー画面４２２が表示される。この外観プレビュー画面４２２上で、ソフトキー「登録」を利用者が押下すると、前述と同様に携帯電話機２０の表示パネル３１の表示領域に表示される画像が、上記利用者が指定して修正した全画面表示の画像に切り換えられ、着せ替えパネル画像設定が完了した旨を示す設定完了画面４２３が、液晶ディスプレイ２７に表示される。
【００３５】
〔拡大／縮小表示〕
図９は、上記画像修正用の設定メニュー画面４０５で「３：拡大／縮小表示」を利用者が選択した場合の画面遷移を示す説明図である。この「３：拡大／縮小表示」を利用者が選択すると、拡大／縮小調整用の画像修正画面４３１が表示され、上記選択された候補画像について、表示パネル３１の表示領域における表示サイズを調整することができる。この表示サイズの調整は、画像修正画面４３１を確認しながら、例えば上記キー操作部２１６のスクロールキー２４を利用者が操作することで行うことができる。図９の例では、利用者がスクロールキー２４の下矢印キーを押下することにより、候補画像のサイズを縮小した例を示している。利用者が、画像修正画面４３１上で希望の位置に候補画像を移動した後、ソフトキー「ＯＫ」を利用者が押下すると、最終確認用の外観プレビュー画面４３２が表示される。この外観プレビュー画面４３２上で、ソフトキー「登録」を利用者が押下すると、前述と同様に携帯電話機２０の表示パネル３１の表示領域に表示される画像が、上記利用者が指定して修正した画像に切り換えられ、着せ替えパネル画像設定が完了した旨を示す設定完了画面４３３が、液晶ディスプレイ２７に表示される。
【００３６】
〔４：画像装飾〕
図１０は、上記画像修正用の設定メニュー画面４０５で「４：画像装飾」を利用者が選択した場合の画面遷移を示す説明図である。この「４：画像装飾」を利用者が選択すると、画像装飾メニュー画面４４１が表示され、上記選択された候補画像について適用する各種画像装飾を選択することができる。
例えば、利用者が「フレーム挿入」を選択して「ＯＫ」を押下すると、挿入可能なフレーム画像の一覧画面４４２Ａが表示され、その中から希望のフレームを選択して「ＯＫ」を押下すると、その選択されたフレームを重ねて表示した画像修正画面４４３Ａが表示される。
また例えば、利用者が「マーカースタンプ挿入」を選択して「ＯＫ」を押下すると、挿入可能なマーカースタンプ画像の一覧画面４４２Ｂが表示され、その中から希望のマーカースタンプを選択して「ＯＫ」を押下すると、その選択されたマーカースタンプを重ねて表示した画像修正画面４４３Ｂが表示される。ここで、キー操作部２１６のスクロールキー２４を利用者が操作することにより、上記マーカースタンプを挿入する位置を調整することができる。
また例えば、利用者が「文字挿入」を選択して「ＯＫ」を押下すると、文字を挿入するための文字入力画面４４２Ｃが表示され、その画面上で希望の文字列を入力して「ＯＫ」を押下すると、その入力された文字を重ねて表示した画像修正画面４４３Ｃが表示される。ここで、キー操作部２１６のスクロールキー２４を利用者が操作することにより、上記文字を挿入する位置を調整することができる。また、ソフトキー「メニュー」を押下することにより、図示しない文字修正用のメニュー画面を表示し、文字の拡大／縮小、色、フォント等を変更することができる。
また例えば、利用者が「別画像挿入」を選択して「ＯＫ」を押下すると、挿入可能な別画像の一覧画面４４２Ｄが表示され、その中から希望の画像を選択して「ＯＫ」を押下すると、その選択された画像を重ねて表示した画像修正画面４４３Ｄが表示される。ここで、キー操作部２１６のスクロールキー２４を利用者が操作することにより、上記画像を挿入する位置を調整することができる。
以上のように画像が装飾処理された画像修正画面４４３Ａ〜Ｄで、利用者がソフトキー「確定」を押下すると、最終確認用の外観プレビュー画面４４４が表示される。この外観プレビュー画面４４４上で、ソフトキー「登録」を利用者が押下すると、前述と同様に携帯電話機２０の表示パネル３１の表示領域に表示される画像が、上記利用者が指定して修正した画像に切り換えられ、着せ替えパネル画像設定が完了した旨を示す設定完了画面４４５が、液晶ディスプレイ２７に表示される。
【００３７】
〔空き領域色設定〕
図１１は、上記画像修正用の設定メニュー画面４０５で「５：空き領域色設定」を利用者が選択した場合の画面遷移を示す説明図である。この「５：空き領域色設定」を利用者が選択すると、表示パネル３１の表示領域のうち上記選択された候補画像以外の空き領域に適用可能な複数の色の一覧画面４５１が表示される。この一覧画面４５１の中から希望の色を選択して「ＯＫ」を押下すると、その選択された色になった空き領域を含む画像修正画面４５１が表示される。利用者が、画像修正画面４５１を確認してソフトキー「確定」を押下すると、最終確認用の外観プレビュー画面４５２が表示される。この外観プレビュー画面４１２上で、ソフトキー「登録」を利用者が押下すると、前述と同様に携帯電話機２０の表示パネル３１の表示領域に表示される画像が、上記利用者が指定して修正した画像に切り換えられ、着せ替えパネル画像設定が完了した旨を示す設定完了画面４１３が、液晶ディスプレイ２７に表示される。
【００３８】
以上、本実施形態によれば、第１の表示手段である表示パネル３１の表示画像を切り換えるときに、候補画像を表示パネル３１に実際に描画して表示する場合よりも短い時間で、その候補画像を含む外観プレビュー画像を液晶ディスプレイ２７に描画して表示することができる。従って、候補画像が表示パネル３１に表示される様子を事前に確認できるとともに、その確認作業を伴う表示パネル３１の表示画像の切り換え時における操作性を向上させることができる。
特に、本実施形態のようにキー操作時の利用者が見にくい背面側に表示パネル３１を設けた携帯電話機の場合、候補画像を表示パネル３１に表示して逐次視認しつつ表示パネル３１の表示を何度のやり直すという操作が不要となるため、表示パネル３１の表示画像の切り換え時における操作性及び利便性が格段に向上する。
【００３９】
また、本実施形態によれば、利用者が画像修正入力手段としてのキー操作部２１６を操作することにより、上記外観プレビュー画像中の候補画像に対して、表示位置の変更、全画面表示への変更、画像サイズの変更の少なくとも一つの変更を行う画像修正の内容を入力することができる。この画像修正の内容の入力結果に基づいて、液晶ディスプレイ２７上の外観プレビュー画像が再描画されて表示される。この再描画された外観プレビュー画像により、上記表示位置の変更等の修正を行った画像が表示パネル３１に表示される様子を事前に確認できる。
また、本実施形態によれば、上記候補画像に対して、文字情報の画像等の別の画像を重ねて表示する画像修正を行うことができ、その画像修正を行った画像が表示パネル３１に表示される様子を、高速描画機能を有する液晶ディスプレイ２７に表示して事前に確認できる。しかも、利用者がキー操作部２１６を操作することにより、その別の画像を重ね表示位置を調整することができる。
また、本実施形態によれば、表示パネル３１の表示領域のうち上記候補画像が表示される領域以外の空き領域の色を変更する画像修正を行うことができ、その画像修正を行った画像が表示パネル３１に表示される様子を液晶ディスプレイ２７に表示して事前に確認できる。
【００４０】
なお、上記実施形態において、上記表示パネル３１にＰＩＭ（Personal Information Manager）表示機能を持たせてもよい。すなわち、上記表示パネル３１の表示領域の一部に、利用者が入力したＴｏＤｏリストの情報、メモ情報、スケジュールの情報等の画像を常時又は所定のタイミングだけ表示するようにしてもよい。この場合は、ＴｏＤｏリストの情報、メモ情報、スケジュールの情報等を、電力消費を抑制した状態で携帯電話機２０の表示パネル３１に表示し続けることができる。このように表示し続けることにより、メモ情報をいつでも簡易に参照できるというメモ参照機能が高まり、また、ＴｏＤｏリストの情報やスケジュールの情報を所定の時刻に表示して利用者に注意を喚起するアラーム機能が高まるため、携帯電話機２０の利便性が向上する。
【００４１】
図１２は、利用者が入力したＴｏＤｏリストの情報の画像を背景画像に重ねて表示した表示パネル３１の一例を示す携帯電話機２０の背面図である。
この表示パネル３１へのＴｏＤｏリスト情報の表示設定は、例えば図１３に示すように高速描画可能な液晶ディスプレイ２７上で行うことができる。携帯電話機２０の待受中に「メニュー」が押下され、ツール機能から「ＴｏＤｏリスト」が選択されると、ＴｏＤｏリスト画面５１１が表示される。更に、このＴｏＤｏリスト画面５１１で「メニュー」が押下されると、ＴｏＤｏの設定メニュー画面５１２が表示される。ここで、「新規登録」が選択され「ＯＫ」が押下されると、登録対象の１件のＴｏＤｏの登録内容表示画面５１３が表示され、当該ＴｏＤｏの開始時刻、期限時刻、アラーム、表示パネルへの表示有無等の編集設定が可能になる。登録内容表示画面５１３上で必要な編集設定が終了し、「メニュー」が押下されると、当該ＴｏＤｏの設定メニュー画面５１４が表示される。この設定メニュー画面５１４で「登録」が選択され、「ＯＫ」が押下されると、「１１月１６日１５：００までに週報提出」という内容のＴｏＤｏが、ＴｏＤｏリストに登録される。そして、この登録の内容が、図１２に示すように表示パネル３１の表示領域の一部に表示される。
【００４２】
図１４は、利用者が入力したメモ情報の画像を背景画像に重ねて表示した表示パネル３１の一例を示す携帯電話機２０の背面図である。
この表示パネル３１へのメモ情報の表示設定は、例えば図１５に示すように高速描画可能な液晶ディスプレイ２７上で行うことができる。携帯電話機２０の待受中に「メニュー」が押下され、ツール機能から「メモ」が選択されると、メモ画面５２１が表示される。更に、このメモ画面５２１で「メニュー」が押下されると、メモの設定メニュー画面５２２が表示される。ここで、「本文編集」が選択され「ＯＫ」が押下されると、登録対象の１件のメモの編集画面５２３が表示され、メモの内容が入力可能になる。編集画面５２３上で必要な入力・編集設定が終了し、「メニュー」が押下されると、当該メモの設定メニュー画面５２４が表示される。この設定メニュー画面５２４で「登録」が選択され、「ＯＫ」が押下されると、「明日は給料日！」という内容のメモが登録され、表示パネル３１へ表示するか否かを確認するパネル表示確認画面５２５が表示される。このパネル表示確認画面５２５は、上記メモの設定メニュー画面５２２で「着せ替えパネル貼り付け」が選択されたときも表示される。このパネル表示確認画面５２５で「貼り付ける」が選択されて「ＯＫ」が押下されると、登録したメモの内容が、図１４に示すように表示パネル３１の表示領域の一部に表示される。
【００４３】
図１６は、利用者が入力したスケジュールの情報の画像を背景画像に重ねて表示した表示パネル３１の一例を示す携帯電話機２０の背面図である。
この表示パネル３１へのスケジュール情報の表示設定は、例えば図１７に示すように高速描画可能な液晶ディスプレイ２７上で行うことができる。携帯電話機２０の待受中に「メニュー」が押下され、ツール機能から「スケジュール」が選択されると、スケジュール画面５３１が表示される。更に、このスケジュール画面５３１で「メニュー」が押下されると、スケジュールの設定メニュー画面５３２が表示される。ここで、「新規登録」が選択され「ＯＫ」が押下されると、登録対象の１件のスケジュールの登録内容表示画面５３３が表示され、当該スケジュールの開始時刻、期限時刻、アラーム、表示パネル３１への表示による通知の有無等の編集設定が可能になる。登録内容表示画面５３３上で必要な編集設定が終了し、「メニュー」が押下されると、当該スケジュールの設定メニュー画面５３４が表示される。この設定メニュー画面５３４で「登録」が選択され、「ＯＫ」が押下されると、「１１月１５日１３：００スタートのグループミーティング」という内容のスケジュールが登録される。そして、この登録の内容が、図１６に示すように表示パネル３１の表示領域の一部に表示される。
【００４４】
なお、上記ＴｏＤｏリスト情報の画像（図１２）、メモ情報の画像（図１４）及びスケジュール情報の画像（図１６）それぞれの表示位置は、前述の図７を用いて説明したように調整することができる。
【００４５】
また、上記実施形態において、携帯電話機２０で実行しているアプリケーションプログラムからの指令に基づいて、表示パネル３１の表示領域に表示する候補画像を液晶ディスプレイ２７に表示したり、その候補画像を修正したりするように制御してもよい。
【００４６】
図１８は、アプリケーションプログラムを実行することができ、そのアプリケーションプログラムからの表示制御指令に基づいて表示パネル３１の表示領域に表示する画像の切り換えや修正を、液晶ディスプレイ２７上で行うことができる携帯電話機２０のブロック図である。図１９は、その携帯電話機２０におけるソフトウェア構造の説明図である。上記アプリケーションプログラム実行管理部２１９は、上述のシステムバス、ＣＰＵやＲＡＭの一部等で構成されている。このアプリケーションプログラム実行管理部２１９は、図１９のソフトウェア構造上において中央の「アプリケーション実行環境」に対応しており、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。このアプリケーション実行環境は、実行するアプリケーションプログラムに応じて適宜選定される。例えば、実行するアプリケーションプログラムがＪＡＶＡ（登録商標）で記述されたものである場合には、ＪＡＶＡ（登録商標）のアプリケーション実行環境を選定する。また、実行するアプリケーションプログラムがＢＲＥＷ（登録商標）の実行環境上で動作するＣ言語で記述されたものである場合には、ＢＲＥＷ（登録商標）のアプリケーション実行環境を選定する。なお、実行するアプリケーションプログラムがＪＡＶＡ（登録商標）で記述されたものである場合には、ＢＲＥＷ（登録商標）のアプリケーション実行環境上に更にＪＡＶＡ（登録商標）のアプリケーション実行環境を構築することで、これを実行することができる。
ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシン：ＶＭ）が終了するまで、ＲＡＭ２０２内におけるアプリケーション用記憶領域に記憶される。また、アプリケーション実行環境は、アプリケーションプログラムの実行に際して用いる各種データも、そのアプリケーション用記憶領域に保存する。そして、この各種データを用いるときには、このアプリケーション用記憶領域から読み出したり、書き込んだりする。また、アプリケーション実行環境内の実行環境管理ライブラリは、電話機プラットフォームＡＰＩを介して後述の電話機プラットフォーム内の電話機プラットフォームライブラリを呼び出して使用できるようになっている。
【００４７】
携帯電話機２０の主制御部２１０は、アプリケーションプログラム実行管理部２１９との間で制御命令や各種データのやりとりを行い、これらと協働して制御を行う。この主制御部は、図１９のソフトウェア構造上において最下部の「電話機プラットフォーム」に対応しており、電話通信部等を制御するための制御用プログラムやユーザインターフェースを実行したり、電話機プラットフォームライブラリを提供したりする。この電話機プラットフォームは、上記アプリケーション実行環境内の実行環境管理ライブラリに対してイベントを送ることにより、アプリケーションプログラムにおいて各種処理を実行したり、アプリケーション管理ＡＰＩを介して上記アプリケーション実行環境内のアプリケーション管理のソフトウェアを呼び出して使用したりできるようになっている。また、アプリケーション実行環境が電話機プラットフォームＡＰＩを介して電話機プラットフォームライブラリを呼び出して使用したとき、電話機プラットフォームは、その電話機プラットフォームライブラリに応じた処理を実行する。例えば、電話機プラットフォームは、電話機プラットフォームライブラリを利用したアプリケーション実行環境からの指示に基づき、内部メモリ内における電話機プラットフォームが管理するプラットフォーム用記憶領域に記憶されたデータを読み出して、これをアプリケーション用記憶領域に移行することができる。
【００４８】
また、アプリケーションプログラムの内容に従って、表示パネル３１に表示されている画像を別の画像へ切り替える場合は、次のように動作する。まず、利用者は、表示パネル３１に表示される画像を制御可能なアプリケーションプログラムをダウンロードサーバからダウンロードして取得し、これを登録する。具体的には、利用者はキーを操作してダウンロードサーバにアクセスする。これにより、ダウンロード可能なアプリケーションプログラムを選択するためのダウンロード選択画面が液晶ディスプレイ２７上に表示される。そして、このダウンロード選択画面において、実行対象となるアプリケーションプログラムをスクロールキー２４を用いて選択し、多機能キー２５を押下すると、主制御部２１０が通信装置２１２を制御して、そのアプリケーションプログラムをダウンロードサーバからダウンロードする。このようにしてダウンロードされたアプリケーションプログラムは、主制御部２１０により、内部メモリ２１１に記憶される。このようにダウンロードしたアプリケーションプログラムを実行する場合、利用者は、キー操作部２１６のキーを操作して、実行するアプリケーションプログラムを選択し、実行指示操作を行う。すると、図１９に示した電話機プラットフォームにアプリケーションプログラムの実行指示が入力される。これにより、主制御部２１０は、所定のアプリケーションプログラムを読み出してこれを起動する。このアプリケーションプログラムから図１９に示したアプリケーション実行環境に対して表示制御命令が送られると、アプリケーションプログラム実行管理部２１９は、電話機プラットフォームの主制御部２１０に対して表示制御命令を送る。これを受けた主制御部２１０は、その表示制御命令に係る画像データを内部メモリ２１１から読み出す。その後、主制御部２１０は、描画処理部２００に対して画像データに基づく表示制御命令を出力する。これにより、表示パネル３１に表示されている画像が、アプリケーションプログラムの内容に従った別の画像へ切り替わる。このようにアプリケーションプログラムの内容に従って表示パネル３１に表示する画像を切り替えることができるので、アプリケーションプログラムの実行中に、携帯電話機の外観デザインをそのアプリケーションプログラムの内容に関連したものとすることができる。
【００４９】
また、上記実施形態における表示パネル３１の表示領域（表示位置）の切り換えを、携帯電話機２０で実行しているアプリケーションプログラムからの指令に基づいて行うようにしてもよい。
【００５０】
なお、上記実施形態においては、表示パネル３１が１つの表示領域を有する場合について説明したが、本発明は、表示パネル３１が複数の表示領域を有する場合にも適用できるものである。
また、上記実施形態においては、携帯電話機２０を例に挙げて説明したが、本発明は、他の移動体通信端末や携帯機器等の電子機器についても同様に適用できるものである。
【図面の簡単な説明】
【００５１】
【図１】（ａ）は本発明の実施形態に係る携帯電話機の外観の一例を示す正面図。（ｂ）は同携帯電話機の背面図。
【図２】（ａ）は本実施形態の携帯電話機における表示パネルの一構成例を示す断面図。（ｂ）は同表示パネルの動作原理を示す説明図。
【図３】他の構成例に係る表示パネルの構成を示すケーシングの断面図。
【図４】描画処理部の一構成例を示すブロック図。
【図５】本実施形態に係る携帯電話機の主な構成を示すブロック図。
【図６】着せ替えパネル画像設定を行うときの液晶ディスプレイの画面遷移の様子を示す説明図。
【図７】画像表示位置変更を選択した場合の画面遷移を示す説明図。
【図８】全画面表示を選択した場合の画面遷移を示す説明図。
【図９】拡大／縮小表示を選択した場合の画面遷移を示す説明図。
【図１０】画像装飾を選択した場合の画面遷移を示す説明図。
【図１１】空き領域色設定を選択した場合の画面遷移を示す説明図。
【図１２】ＴｏＤｏリストの情報の画像を背景画像に重ねて表示した表示パネルの一例を示す携帯電話機の背面図。
【図１３】表示パネルへのＴｏＤｏリスト情報の表示設定を行うときの画面遷移を示す説明図。
【図１４】メモ情報の画像を背景画像に重ねて表示した表示パネルの一例を示す携帯電話機の背面図。
【図１５】表示パネルへのメモ情報の表示設定を行うときの画面遷移を示す説明図。
【図１６】スケジュール情報の画像を背景画像に重ねて表示した表示パネルの一例を示す携帯電話機の背面図。
【図１７】表示パネルへのスケジュール情報の表示設定を行うときの画面遷移を示す説明図。
【図１８】アプリケーションプログラムを実行可能な携帯電話機のブロック図。
【図１９】同携帯電話機におけるソフトウェア構造の説明図。
【符号の説明】
【００５２】
２０  携帯電話機
２７  液晶ディスプレイ（給電画像表示手段）
２９  蓋部
３０  本体部
３１  表示パネル（無給電画像表示手段）
２００  描画処理部
２０１  駆動信号生成部
２０２  列電極駆動部
２０３  行電極駆動部
２１０  主制御部
２９０  ケーシング
３１１  透明下基材層
３１２  コレステリック液晶層
３１３  透明上基材層
３１４  列電極
３１５  行電極
【図１】
2006293002.tif 000003
【図２】
2006293002.tif 000004
【図４】
2006293002.tif 000005
【図５】
2006293002.tif 000006
【図１８】
2006293002.tif 000007
【図１９】
2006293002.tif 000008
【図３】
2006293002.tif 000009
【図６】
2006293002.tif 000010
【図７】
2006293002.tif 000011
【図８】
2006293002.tif 000012
【図９】
2006293002.tif 000013
【図１０】
2006293002.tif 000014
【図１１】
2006293002.tif 000015
【図１２】
2006293002.tif 000016
【図１３】
2006293002.tif 000017
【図１４】
2006293002.tif 000018
【図１５】
2006293002.tif 000019
【図１６】
2006293002.tif 000020
【図１７】
2006293002.tif 000021